【事件の表示】
　平成１１年特許願第３０１８８４号「デジタル放送受信機におけるサービス選択方法」拒絶査定不服審判事件〔平成１３年　５月１１日出願公開、特開２００１−１２８０８１〕について、次のとおり審決する。
【結　論】
　本件審判の請求は、成り立たない。
【理　由】
１．手続の経緯
　本願は平成１１年１０月２５日の出願であって、平成１５年１１月１１日付で拒絶査定がなされ、これに対して、同年１２月１６日に拒絶査定に対する審判請求がなされるとともに、同日付で手続補正がなされたものである。
　
２．本願発明
　平成１５年１２月１６日付けの手続補正は、平成１５年１０月２３日付け手続補正による特許請求の範囲のうち、請求項１および請求項３を削除し、請求項２を新たに請求項１とし、請求項４を新たに請求項２とするものであって、請求項の削除を目的とする補正である。
　本件に係る発明は、平成１５年１２月１６日付手続補正書の特許請求の範囲に記載されるとおりのものであるところ、その請求項１には、下記の発明（以下、「本願発明」という。）が記載されている。
　　　　　　　　　　　　記
「複数の伝送チャンネルからなり、それぞれの伝送チャンネルは、複数のサービスと少なくとも該伝送チャンネルに含まれるサービスのサービス番号を含む付加情報とを伝送するデジタル放送を受信するデジタル放送受信機におけるサービス選択方法であって、
　受信しているサービス番号から順次上位のサービス番号、若しくは下位のサービス番号を選択し、
　該選択されたサービス番号の属する前記伝送チャンネルが選択直前のサービスの属する伝送チャンネルと異なる場合、
　該選択されたサービス番号の属する前記伝送チャンネルにて伝送される前記付加情報を取得し、
　該取得した付加情報から少なくとも該伝送チャンネルに含まれるサービスのサービス番号をメモリに記憶し、
　受信しているサービス番号から順次上位のサービス番号を選択する場合は、前記メモリに記憶されたサービス番号の内の最少のサービス番号を選択し、
　受信しているサービス番号から順次下位のサービス番号を選択する場合は、前記メモリに記憶されたサービス番号の内の最大のサービス番号を選択することを特徴とするデジタル放送受信機におけるサービス選択方法。」
　
３．引用文献
　一方、原査定の拒絶の理由に引用された特開平１１−２０５７０５号公報（以下、「引用文献１」という。）には、図面と共に以下の記載がある。
　
（ａ）「【０００１】【発明の属する技術分野】この発明は、信号源の高能率符号化技術、ディジタル変復調技術等を利用したディジタル放送の受信端末装置に関する。」（第３頁第３欄第３８行目ないし第４２行目）
（ｂ）「【０００４】ＤＶＢ規格は、現在、衛星／ケーブル／地上の各ディジタル放送方式の事実上の業界標準として世界各国で広く採用されている。とりわけ、多重化方式に関しては、ＭＰＥＧ２Systems の多重信号形式であるＴＳ（Transport Stream）を適用拡張している。ＭＰＥＧ２Systems のＴＳの規格では、多重された複数の番組の構成などを記述したＰＳＩ（Program Specific Information）と呼ばれる多重分離情報の伝送フォーマットを規定し、映像、音声等とともに固定長パケットで多重伝送する。
【０００５】上述のＤＶＢでは、ＰＳＩに加えて、ＭＰＥＧ２Systems のＴＳ規格に準拠する形でＳＩ（Service Information ）と呼ばれる放送サービス全般の関連情報の伝送フォーマットを規定し、多重伝送する。受信側ではこれらの情報を取得し利用することで様々な機能を視聴者に提供することを可能にしている。」（第３頁第４欄第５行目ないし第２０行目）
（ｃ）「【００１０】本発明は、上記の問題を解決し、視聴者が短時間で簡単に必要なチャンネル選局や番組情報取得を行うことのできるディジタル放送受信端末装置を提供することを目的とする。
【００１１】【課題を解決するための手段】上記の目的を達成するために本発明に係るディジタル放送受信端末装置は、新規放送チャンネルの情報を検出する新規放送チャンネル情報検出手段と、この手段で検出された新規放送チャンネルの情報を管理テーブルに保持する新規放送チャンネル情報保持手段と、前記管理テーブルを参照し保持されている新規放送チャンネル情報を表示する新規放送チャンネル情報表示手段とを具備することで、視聴者が短時間で簡単に必要なチャンネル選局や番組情報取得を行うことができるようにしている。」（第３頁第４欄第４８行目ないし第４頁第５欄第１２行目）
（ｄ）「【００１５】このトランスポート処理器１６は、送信側でＴＳの形式で多重されてきた、一般には複数のサービス（放送番組）の中から所定のサービスを選択して、そのサービスを構成する映像や音声の信号を多重分離し、デパケット処理を行ってそれぞれの圧縮信号に戻すもので、そのうちの映像圧縮信号はＭＰＥＧ映像復号化器１７に供給され、音声圧縮信号はＭＰＥＧ／ＡＣ３音声復号化器１８に供給される。」（第４頁第５欄第３８行目ないし第４５行目）
（ｅ）「【００１９】ここで、ホストプロセッサ１１２が実行する指定番組の多重分離処理の制御について説明する。
　多重分離処理は、以下に説明するように、ＰＳＩと呼ばれるテーブル形式の各種情報などを取得することによって可能になる。また、必要に応じ、ＳＩと呼ばれるサービス情報の取得も同様である。ホストプロセッサ１１２はこれらの情報の取得を適宜、トランスポート処理器１６に指示する。
【００２０】この処理アルゴリズムの一例を図２に示す。ＩＲＤはＡＣ電源投入直後、（Ｓ１）でネットワーク指定初期設定（この初期設定値を仮にネットワークＡとする）に従い、（Ｓ２）でその処理プログラムをＲＯＭ１１４からロード・実行する。そして、（Ｓ３）で指定されているサービスの初期設定（この初期設定値を仮にサービスｎとする）に従い、（Ｓ４）でＩＲＤ内の不揮発メモリ等に予め保持しているＮＩＴ（Network Information Table ）と呼ばれるネットワーク情報を参照し、衛星軌道位置やＲＦ帯域伝送周波数、偏波、変調方式などの伝送諸元情報を得る。そして、（Ｓ５）でこれらの情報を基にチューナ１２に対してアンテナ入力の選択やＴＳ切替、チューニングを行う。
【００２１】これによって入力した信号は、図１で説明したように復調処理や誤り訂正復号処理、デスクランブラ処理を経て、トランスポート処理に入る。この場合には、ＩＲＤは電源投入直後の初期設定（Ｓ６）のままなので、（Ｓ７）でＰＡＴ（Program Association Table ）という番組関連情報を取得する。また、（Ｓ８）でＣＡＴ（Conditional Access Table）という限定受信関連情報を取得し、この情報から（Ｓ９）でＥＭＭ（Entitlement Management Message）という、契約者固有のＩＣカードＩＤに基づく個人契約情報を取得するようトランスポート処理器１６に指示するレジスタを設定する。そして、（Ｓ１０）においてＩＲＤにＩＣカードが挿入されているかどうかを確認し、挿入されていなければ（Ｓ１１）でこれを視聴者に要求する旨の表示を指示する。
【００２２】ＩＣカード挿入確認後、（Ｓ１２）において（Ｓ９）で設定された個人情報をＩＣカードに書き込むことで、暗号化されたスクランブル鍵を復号することが可能になる。そして、ＰＡＴを検索して、（Ｓ１３）で指定サービス（この場合、サービスｎ）に対応するＰＭＴ（Program Map Table ）を取得するようトランスポート処理器１６に指示するレジスタを設定する。
【００２３】こうして取得したＰＭＴを参照して、（Ｓ１４）で指定サービスの番組を構成する映像や音声などの伝送ストリームを取得するようトランスポート処理器１６に指示するレジスタを設定する。また、同時に（Ｓ１５）において各伝送ストリームに対応するＥＣＭ（Entitlement Control Message ）も同様に設定して取得し、暗号化されたスクランブル鍵をＩＣカードに転送する。この結果、（Ｓ１６）で限定受信が可能な場合には、番組を構成する映像や音声などの伝送ストリームは復号化されたスクランブル鍵を基にデスクランブルされて、ＩＲＤは番組のデコード表示（Ｓ１７）が可能になる。（Ｓ１６）で限定受信が不可能の場合には、（Ｓ１８）で受信不可の表示を行う。
【００２４】尚、ＩＲＤでは通常、電源ＯＦＦを実行してもＡＣ電源供給を停止しない限りは画面や音声の出力表示を停止するが、トランスポート処理器１６などは動作している。これは（Ｓ２０）で示すように、繰り返し多重伝送されてくるＰＳＩ等の情報が更新されていないか常に監視し、更新を検知すればこの情報の書き換えを行うためである。
【００２５】この更新処理の例を図３に示す。ＰＳＩはバージョン番号を持っており、これが更新される際にはこの値が１インクリメントされる。したがって、ＮＩＴを受信（Ｓ３１）し、ＮＩＴのバーション番号を調べ（Ｓ３２）、この変更が検知されていればＩＲＤが保持していたＮＩＴの情報を更新（Ｓ３３）する。以下、（Ｓ３４）〜（Ｓ３１７）において、ＰＡＴやＰＭＴ、ＣＡＴ、ＥＭＭ、ＥＣＭに関しても同様の処理を行う。また、図中には記載していないが、ＳＤＴ（Service Description Table ）やＥＩＴ（Event Information Table ）やＳＩに関しても同様の更新処理を行う。」（第４頁第６欄第２２行目ないし第５頁第７欄第４５行目）
（ｆ）「【００２７】また、（Ｓ２５）でネットワークは変更しないで他のサービス指定（例えばサービスｍ）を受け付けた場合には（Ｓ６）に戻る。このとき、初期設定ではないために再び（Ｓ２７）でＮＩＴを参照して、（Ｓ２８）でサービスｍが直前のサービスｎと同じＴＳに属するか否かを調べる。他ＴＳに属する場合には（Ｓ２９）でＴＳを切り替えて、（Ｓ７）以下の処理を繰り返す。同じＴＳに属する場合にはサービスｍについて（Ｓ１３）以下の処理を繰り返す。さらに（Ｓ２６）において指定サービスの変更がない場合も（Ｓ１６）以下の処理を行い、ＰＳＩ等の情報が更新されていないか常に監視し、更新を検知すればこの情報の書き換えを行う。」（第５頁第８欄第６行目ないし第１７行目）
（ｇ）「【００３０】図４に新規チャンネルの検出アルゴリズムの全体を示す。図４は図３のＰＳＩ（ＳＩ）更新処理のＮＩＴの部分に（Ｓ４１８）新規チャンネル管理テーブル更新処理を追加したものである。すなわち、ＮＩＴを受信（Ｓ４１）し、ＮＩＴのバーション番号を調べ（Ｓ４２）、この変更が検知されていれば新規チャンネル管理テーブルの保持情報を更新（Ｓ４１８）した後、ＩＲＤが保持していたＮＩＴの情報を更新（Ｓ４３）する。以下、（Ｓ４４）〜（Ｓ４１７）において、ＰＡＴやＰＭＴ、ＣＡＴ、ＥＭＭ、ＥＣＭに関しては図３と同様の処理を行う。また、図中には記載していないが、ＳＤＴ（Service Description Table ）やＥＩＴ（Event Information Table ）やＳＩに関しても同様の更新処理を行う。
【００３１】ＮＩＴではそのネットワーク内で放送される、一般にはＴＳ内で一意に識別される１６ビットのサービス識別子（service-id）とそのサービス種別を表す、サービスリストを記載している。また、ＴＳにもこれをネットワーク内で一意に識別する１６ビットのトランスポートストリーム識別子（transport-stream-id ）が存在する。ＮＩＴはその記述内容が変更されるたびにそのバージョン番号をインクリメントしてテーブル全体を更新し伝送し直す。したがって、ＮＩＴの更新を検知した時点で、その更新前後のサービスリストを比較して新たに追加されたサービス識別子が存在すれば、これを新規チャンネルと判定して検出することができる。
【００３２】尚、新規チャンネル管理テーブルは、例えば図５に示すように、１つのエントリが上記のサービス識別子（service-id）、トランスポートストリーム識別子（transport-stream-id ）、さらに16ビットのネットワーク識別子（network-id）の組み合わせから構成されるものとする。
【００３３】そして、（Ｓ４１８）の新規チャンネル管理テーブル更新処理をさらに詳細に説明したのが図６である。同図（ａ）は新規チャンネルの範囲を、ＮＩＴの更新時から次のＮＩＴの更新時までの間に放送が開始されたチャンネルと規定した場合の更新処理である。まず、（Ｓ５１）で新規チャンネル管理テーブルを初期化する。そして、（Ｓ５２）で新旧のサービスリストを比較する。この結果、（Ｓ５３）で新しいサービスリストに古いサービスリストに未記載のサービスが存在すれば、（Ｓ５４）でこのサービスを新規チャンネルとして新規チャンネル管理テーブルに登録する。
【００３４】また、同図（ｂ）は新規チャンネルの範囲を、ＮＩＴの新規掲載サービス検出時から次の新規掲載サービス検出時までの間に放送が開始されたチャンネルと規定した場合の更新処理である。（Ｓ５５）で新旧のサービスリストを比較し、（Ｓ５６）で新しいサービスリストに古いサービスリストに未記載のサービスが存在すれば、（Ｓ５７）で新規チャンネル管理テーブルを初期化した上で、（Ｓ５８）で検出された未記載のサービスを新規チャンネルとして新規チャンネル管理テーブルに登録する。
【００３５】このようにして登録された新規チャンネル管理テーブルを利用して、視聴者に新規チャンネル表示を行う一例を図７に示す。図７では新規チャンネル管理テーブルのエントリのみによる選局メニューであり、新規チャンネル管理テーブルのエントリのチャンネルの情報をＳＤＴから検索してＯＳＤ表示する。
【００３６】したがって、本実施形態によれば、視聴者は表示されたチャンネルのいずれかをリモコン等を使って選択することにより、ＮＩＴを参照してチャンネル切替を実行することができる。」（第５頁第８欄第３９行目ないし第６頁第１０欄第１行目）
　
　また、原査定の拒絶の理由に引用された特開平１０−４２２１２号公報（以下「引用文献２」という。）には、図面と共に下記の記載がある。
　　　　　　　　　　　　　　記
（ｈ）「【００４０】アップキー８８、ダウンキー８９、レフトキー９０およびライトキー９１（これらのキーも、以下、適宜、方向キーとも称する）は、それぞれカーソルを上下左右方向に移動させるとき操作され、これらのキーの中央に配置されている決定キー９２は、選択の決定を入力するとき操作される。チャンネルアップダウンキー９４（指示手段）は、受信するチャンネルを１ずつインクリメントまたはデクリメントするとき操作される。このアップキー８８、ダウンキー８９、レフトキー９０、ライトキー９１、決定キー９２は、図２に示す、ＩＲＤ２の本体に設けられているアップキー６１、ダウンキー６２、レフトキー６３、ライトキー６４および決定キー６５と対応するものであり、その配置形状も対応するようになされている。また、チャンネルアップダウンキー９４は、図２のチャンネルアップキー５９およびチャンネルダウンキー６０に対応している。」（第５頁第７欄第２２行目ないし第３７行目）
（ｉ）「【００４７】ディジタル衛星放送においては、本来の番組に対応するデータの他に、ＮＩＴ（Network Information Table）も送信される。図５は、このＮＩＴの構成例を示したものである。ｖｅｒｓｉｏｎ＿ｎｕｍｂｅｒは、このＮＩＴのバージョンを示しており、例えば、その内容が更新される毎に、バージョン番号が１ずつ増加する。ＮＩＴの中には、任意のｄｅｓｃｒｉｐｔｏｒ（）を記述することができる。
【００４８】図６は、ｄｅｓｃｒｉｐｔｏｒ（）のうち、ｓｅｒｖｉｃｅ＿ｌｉｓｔ＿ｄｅｓｃｒｉｐｔｏｒの例を示している。ｄｅｓｃｒｉｐｔｏｒ＿ｔａｇに、ｓｅｒｖｉｃｅ＿ｌｉｓｔ＿ｄｅｓｃｒｉｐｔｏｒであることを示すデータが記述される。ｓｅｒｖｉｃｅ＿ｉｄは、チャンネル番号に対応し、ｓｅｒｖｉｃｅ＿ｔｙｐｅは、そのチャンネルの番組の種類を表す。従って、例えば、テレビ、ラジオ、モザイクプロモーション、プロモーション、あるいは、データに対応するｓｅｒｖｉｃｅ＿ｔｙｐｅが記述される。
【００４９】次に、図７のフローチャートを参照して、チャンネルアップダウンキー９４を操作して、チャンネルを切り換え、所望のチャンネルを選局する方法について説明する。
【００５０】最初、ステップＳ１において、ＣＰＵ２９により、ＮＩＴから、ｓｅｒｖｉｃｅ＿ｌｉｓｔ＿ｄｅｓｃｒｉｐｔｏｒが取得され、サービステーブルが作成される。ディジタル衛星放送においては、上述したＮＩＴと呼ばれるデータが、例えば０．１秒毎に送信される。ＣＰＵ２９は、このＮＩＴの中のｓｅｒｖｉｃｅ＿ｌｉｓｔ＿ｄｅｓｃｒｉｐｔｏｒを、各トランスポンダ毎に取得し、リストアップしてサービステーブルを作成する。サービステーブルには、ｓｅｒｖｉｃｅ＿ｉｄ（チャンネル番号）が、送信されてきた順番で記述される。したがって、ｓｅｒｖｉｃｅ＿ｉｄは、必ずしもその大きさの順番に記述されるとは限らない。このサービステーブルは、例えば、ＥＥＰＲＯＭ３８に供給され、記憶される。
【００５１】サービステーブルは、例えば、ＮＩＴのｖｅｒｓｉｏｎ＿ｎｕｍｂｅｒが変更される毎に、更新されるようにする。これにより、常に、実際に放送が行われているチャンネルのチャンネル番号だけが記述されるようにすることができる。」（第５頁第８欄第３８行目ないし第６頁第９欄第２８行目）
（ｊ）「【００６１】サービステーブルの作成方法としては、上述したように、受信したｓｅｒｖｉｃｅ＿ｉｄを、送信側が送信した順番にサービステーブルに記述する方法と、受信したｓｅｒｖｉｃｅ＿ｉｄをｓｅｒｖｉｃｅ＿ｉｄ順にソートした後、サービステーブルに記述する方法とがある。
【００６２】以下では、図８のフローチャートを参照して、受信したｓｅｒｖｉｃｅ＿ｉｄがｓｅｒｖｉｃｅ＿ｉｄの大きさの順にソートされた後、サービステーブルに記述される場合に、チャンネルアップダウンキー９４を操作して、チャンネルを切り換え、所望のチャンネルを選局する方法について説明する。
【００６３】最初、ステップＳ１１において、ＣＰＵ２９により、ＮＩＴから、ｓｅｒｖｉｃｅ＿ｌｉｓｔ＿ｄｅｓｃｒｉｐｔｏｒが取得され、サービステーブルが作成される。この場合、受信されたｓｅｒｖｉｃｅ＿ｉｄは、その大きさの順にソートされる。即ち、サービステーブルには、ｓｅｒｖｉｃｅ＿ｉｄが、その大きさの順番に並んでいることになる。このサービステーブルは、例えば、ＥＥＰＲＯＭ３８に供給され、記憶される。また、上述したように、サービステーブルは所定のタイミングで更新される。
【００６４】次に、ステップＳ１２に進み、ＣＰＵ２９により、チャンネルアップダウンキー９４の「＋」の部分（チャンネル＋キー９４）が押されたか否かが判定される。チャンネル＋キー９４が押されたと判定された場合、ステップＳ１３に進み、ＣＰＵ２９により、ＥＥＰＲＯＭ３８に記憶されているサービステーブルから、いま選局されているｓｅｒｖｉｃｅ＿ｉｄが記憶されている記憶領域を示すポインタを１だけインクリメントする。そして、１だけインクリメントされたポインタによって示される領域に記憶されているｓｅｒｖｉｃｅ＿ｉｄを取得する。
【００６５】上述したように、ｓｅｒｖｉｃｅ＿ｉｄは、その大きさの順に記憶されているので、ポインタを１だけインクリメントし、そのポインタで示される領域のｓｅｒｖｉｃｅ＿ｉｄを取得することにより、次に大きいｓｅｒｖｉｃｅ＿ｉｄを取得することができる。
【００６６】一方、ステップＳ１２において、チャンネル＋キー９４が押されていないと判定された場合、ステップＳ１４に進む。ステップＳ１４においては、チャンネルアップダウンキー９４の「−」の部分（チャンネル−キー９４）が押されたか否かが判定される。チャンネル−キー９４が押されたと判定された場合、ステップＳ１５に進み、ＣＰＵ２９により、ＥＥＰＲＯＭ３８に記憶されているサービステーブルから、いま選局されているｓｅｒｖｉｃｅ＿ｉｄが記憶されている記憶領域を示すポインタを１だけデクリメントする。そして、１だけデクリメントされたポインタによって示される領域に記憶されているｓｅｒｖｉｃｅ＿ｉｄを取得する。
【００６７】ステップＳ１４において、チャンネル−キー９４が押されていないと判定された場合、ステップＳ１２に戻り、ステップＳ１２以降の処理が繰り返し実行される。
【００６８】ステップＳ１３における処理、またはステップＳ１５における処理のいずれかが終了すると、ステップＳ１６に進み、ＣＰＵ２９は、ＭＰＥＧビデオデコーダ２５に対して、取得したｓｅｒｖｉｃｅ＿ｉｄに対応するＯＳＤデータの生成、および表示を指令する。ＭＰＥＧビデオデコーダ２５は、ＣＰＵ２９からの指令に従って、取得したｓｅｒｖｉｃｅ＿ｉｄに対応するＯＳＤデータを生成し、ＤＲＡＭ２５ａのＯＳＤエリアに書き込み、さらに読み出して出力する。これにより、テレビジョン受像機３の画面上の所定の位置に、ｓｅｒｖｉｃｅ＿ｉｄ（チャンネル番号）が表示される。
【００６９】次に、ステップＳ１７において、ＣＰＵ２９により、チャンネルアップダウンキー９４の操作が終了したか否かが判定される。即ち、チャンネルアップダウンキー９４を押していたユーザの指等が離され、操作が終了したか否かが判定される。チャンネルアップダウンキー９４が引き続き押され続け、操作が終了していないと判定された場合、ステップＳ１２に戻り、ステップＳ１２以降の処理が繰り返し実行される。これにより、画面に表示されているチャンネル番号だけが高速に変わることになる。
【００７０】一方、ステップＳ１７において、チャンネルアップダウンキー９４を押していたユーザの指等が離され、操作が終了したと判定された場合、ステップＳ１８に進み、選局処理が開始される。ここでの選局処理は、図７のステップＳ８における場合と同様であるので、その説明は省略する。」（第７頁第１１欄第１行目ないし同頁第１２欄第３１行目）
　
４．対比
　そこで、本願発明と引用文献１記載の発明（以下、「引用文献１発明」という。）とを対比する。
　引用文献１の記載を解釈するにあたり、「『総合マルチメディア選書　ＭＰＥＧ』テレビジョン学会編　オーム社　平成８年４月２０日発行」を参照する。
　これによれば、ＭＰＥＧ２のＴＳに含まれているＰＳＩとは、ＰＡＴ　　（Program Association Table）、ＰＭＴ（Program Map Table）、ＮＩＴ（Network  Information Table）、ＣＡＴ（Conditional Access Table）からなること、また、受信者がサービス番号を指定したらＰＡＴとＰＭＴを参照してサービスの受信を行うこと、は周知の事項である（６２頁ないし６３頁参照。）
（１）「サービス選択方法」について
　記載事項（ａ）（ｃ）（ｇ）より、引用文献１発明は、本願発明と同様の「デジタル放送を受信するデジタル放送受信機におけるサービス選択方法」というべき発明であることは明らかである。
（２）「デジタル放送」について
（２−１）「伝送チャンネル」について
　記載事項（ｅ）より、引用文献１発明のデジタル放送受信機は、ＮＩＴを参照して、衛星軌道位置やＲＦ帯域伝送周波数、偏波、変調方式などの伝送諸元情報を得て、これらの情報を基にチューナに対してＴＳ切替、チューニングを行うところ、記載事項（ｄ）より、引用文献１発明のＴＳ（Transport Stream）には、複数のサービス（放送番組）が多重化されており、本願の伝送チャンネルと同様の構造を有しているから、引用文献１発明の「ＴＳ」は本願発明の「伝送チャンネル」に相当するといえる。（段落【００２０】参照）
　また、記載事項（ｆ）及び図２より、引用文献１発明は、受信者により指定されたサービスｍが直前のサービスｎと同じＴＳに属するか否かを判断し、他のＴＳに属する場合はＴＳを切り換える処理を行うから、少なくとも複数のＴＳが伝送されていることを前提としているのは明らかである。（段落【００２７】参照）
　すなわち、引用文献１のデジタル放送も本願発明と同様に「複数の伝送チャンネルからな（り）」るものである。
（２−２）「複数のサービス」について
　記載事項（ｄ）より、引用文献１発明のＴＳ（Transport Stream）には、複数のサービス（放送番組）が多重化されているところ、引用文献１発明の「サービス」は放送番組を指すから、本願発明の「複数のサービス」と同義である。（段落【００１５】参照）
（２−３）「サービス番号」について
　記載事項（ｅ）（ｇ）及び上記周知事項より、ＰＳＩにはＮＩＴが含まれ、ＮＩＴのサービスリストには各サービスに対しＴＳ内で一意に割り当てられた１６ビットのサービス識別子が記載されているといえる。（段落【００２５】【００３０】【００３１】参照）
　また、図５よりサービス識別子は数字で表現され「番号」と呼ぶことができるものである。
　そうすると、引用文献１発明の「サービス識別子」は本願発明の「サービス番号」に対応付けることができるものである。
（２−４）「付加情報」について
　記載事項（ｂ）より、複数の番組の構成などを記述した情報であるＰＳＩ（Program Specific Information）を映像、音声と共に多重伝送している。（段落【０００４】参照）
　これによれば、ＰＳＩは、映像、音声と共に多重伝送されるから、主たる情報である映像、音声（本願発明の「複数のサービス」に対応する。）に対する「付加情報」であるといえる。
　引用文献１のＰＳＩが「付加情報」であることは前記のとおりである。一方、上記周知技術によれば、ＰＡＴおよびＰＭＴはＰＳＩの構成部分であるから、引用文献１発明のＰＡＴおよびＰＭＴも「付加情報」であるといえる。
　次に、引用文献１では、ＰＳＩの構成部分であるＮＩＴは、サービス（放送番組）を識別するところのサービス識別子を含む。一方、上記周知技術によれば、ＰＳＩを構成部分であるＰＡＴおよびＰＭＴにも、番組を指定する番組番号が含まれている。そうすると、引用発明１において、そのＰＳＩの構成部分であるＰＡＴおよびＰＭＴが、サービス識別子を含むことは明らかである。そして、引用発明１のサービス識別子が本願発明の「サービス番号」に対応することは前記のとおりであるから、引用発明１のＰＡＴおよびＰＭＴは、本願発明のように「サービス番号を含む」ものであると言える。
　以上によれば、引用発明１のＰＡＴおよびＰＭＴは、本願発明の「少なくとも伝送チャンネルに含まれるサービスのサービス番号を含む付加情報」であるということができる。
（２−５）まとめ（「デジタル放送」）
　以上、（２−１）ないし（２−４）によれば、引用文献１発明におけるデジタル放送受信機が受信するデジタル放送は、本願発明と同様の「複数の伝送チャンネルからなり、それぞれの伝送チャンネルは、複数のサービスと少なくとも該伝送チャンネルに含まれるサービスのサービス番号を含む付加情報とを伝送する」ものといえる。
（３）付加情報の取得
　記載事項（ｆ）及び図２より、引用文献１発明は、指定されたサービスの属するＴＳ（伝送チャンネル）が指定直前のサービスの属するＴＳと異なる場合、ＴＳを切り替え、ＰＡＴ等を取得している。この取得は、本願発明の「選択された・・・異なる場合、・・・前記付加情報を取得し、」に対応する。
　そして、ＰＡＴが当該ＴＳに含まれる番組（複数）の番組番号を含むことは上記周知技術のとおりであり、また、一般に、データの取得とはデータを取得した後メモリに一旦記憶することを言うのであるから（特開平８−５６３５０号公報（段落【００３９】【００２５】、図６、図７等参照）、本願発明の「取得した・・・メモリに記憶し、」に対応する構成を有することも明らかである。
（４）サービス番号の選択
　引用文献１には、他のサービスを指定（Ｓ２６）する手段について記載はないが、関連する記載として、記載（ｇ）の他、「期間を限定しないノンスクランブル放送チャンネルや視聴契約チャンネルにおいても、視聴者が能動的な操作（直接選局あるいは事前に登録して選局）を行わなければ、選局の際に視聴できない他の数多くの放送チャンネルとともに順次表示されるなどアクセスまでに多大な時間と労力を要してしまう。」（段落【００２８】）と記載されている。
　これによれば、サービスの選択に際してサービス識別子とチャンネル名がＯＳＤ表示され視聴者は表示されたサービスのいずれかをリモコン等を使って選択すること、すなわち、サービス選択時に視聴者は少なくともサービス識別子を認識していることは明らかである。そうすると、視聴者がサービス識別子そのものをリモコン等で指示することによりサービスの選択を行うことまでは明らかではないが、少なくともサービス識別子はサービス選択時に視聴者が認識する番号の情報であり各サービスに対し一意に与えられる「サービスに対応した番号」を指示してサービスを選択しているといえ、実質、サービス識別子（本願発明の「サービス番号」）を選択しているといえる。
　
　以上より、本願発明と引用文献１発明との一致点および相違点は下記のとおりである。
　　　　　　　　　　　　　　　　記
（一致点）　
　複数の伝送チャンネルからなり、それぞれの伝送チャンネルは、複数のサービスと少なくとも該伝送チャンネルに含まれるサービスのサービス番号を含む付加情報とを伝送するデジタル放送を受信するデジタル放送受信機におけるサービス選択方法であって、
　サービス番号を選択し、
　該選択されたサービス番号の属する前記伝送チャンネルが選択直前のサービスの属する伝送チャンネルと異なる場合、
　該選択されたサービス番号の属する前記伝送チャンネルにて伝送される前記付加情報を取得し、
　該取得した付加情報から少なくとも該伝送チャンネルに含まれるサービスのサービス番号をメモリに記憶するデジタル放送受信機におけるサービス選択方法、
である点。
　
（相違点）
　本願発明では、「受信しているサービス番号から順次上位のサービス番号、若しくは下位のサービス番号を選択し」、「受信しているサービス番号から順次上位のサービス番号を選択する場合は、前記メモリに記憶されたサービス番号の内の最少のサービス番号を選択し、受信しているサービス番号から順次下位のサービス番号を選択する場合は、前記メモリに記憶されたサービス番号の内の最大のサービス番号を選択する」のに対し、引用文献１発明では、このような事項が明示されていない点。
　
５．検討
　以下、上記相違点につき、検討する。
（相違点について）
　本願発明のように、「受信しているサービス番号から順次上位のサービス番号、若しくは下位のサービス番号を選択」することは、デジタル放送を受信するデジタル放送受信機のサービス選択方法として普通に行われていることに過ぎず、このような事項を採用することは、当業者であれば容易に着想を得ることができたものといえる。（必要であれば、特開平８−５６３５０号公報の段落【００２６】【００３９】参照。）
　また、記載事項（ｈ）より、引用文献２に記載された発明（以下、「引用文献２発明」という。）では、チャンネルアップキーが押されると受信するチャンネルが１つずつインクリメントされること、チャンネルダウンキーが押されると受信するチャンネルが１つずつデクリメントされること、は明らかである。
　また、記載事項（ｉ）より、引用文献２発明では、ＮＩＴを受信してサービステーブルを作成すること、サービステーブルにはservice_idが記述されること、service_idはチャンネル番号に対応すること、サービステーブルには実際に放送が行われているチャンネルのチャンネル番号のみが記述されること、サービステーブルはＥＥＰＲＯＭすなわちメモリに記憶されること、は明らかである。
　また、記載事項（ｊ）及び図８より、サービステーブル作成にあたって受信されたservice_idはその大きさ順にソートされること、チャンネルアップキーが押されると、いま選局されているservice_idより大きく、かつ、最も近い値であるservice_idがサーチ、選局され、チャンネルダウンキーが押されると、いま選局されているservice_idより大きく、かつ、最も近い値であるservice_idがサーチ、選局されること、は明らかである。
　すなわち、受信しているチャンネル番号から順次上位のチャンネル番号、若しくは下位のチャンネル番号を選択する際に、受信しているチャンネル番号から順次上位のチャンネル番号を選択する場合は、前記メモリに記憶されたチャンネル番号の内の最少のチャンネル番号を選択し、受信しているチャンネル番号から順次下位のチャンネル番号を選択する場合は、前記メモリに記憶されたチャンネル番号の内の最大のチャンネル番号を選択するという技術思想を含むものといえる。
　引用文献２発明の「チャンネル番号」が本願発明の「サービス番号」に相当するといえるかは明らかではないが、引用文献２発明も引用文献１発明と同様の、放送される番組の数が時間帯によって変動することを前提とする「デジタル放送受信機における」放送番組の選択方法に係る発明であるから、上記のような技術思想を引用文献１発明に適用することを妨げる事由とはならない。
　ここで、引用文献１発明のサービス番号は図５によればＴＳ毎に区分されているのは明らかであるから、上記のような引用文献２発明の技術思想を引用文献１発明に適用すれば、選択されたサービス番号の属する伝送チャンネルが選択直前のサービスの属する伝送チャンネルと異なる場合という条件の下でも、「受信しているサービス番号から順次上位のサービス番号を選択する場合は、前記メモリに記憶されたサービス番号の内の最少のサービス番号を選択し、受信しているサービス番号から順次下位のサービス番号を選択する場合は、前記メモリに記憶されたサービス番号の内の最大のサービス番号を選択する」ことは明らかである。
　よって、上記相違点に係る事項を本願発明の如く構成することは、当業者が格別の困難性なく着想することができたものといえる。
　
　そして、本願発明の作用効果も、引用文献１、引用文献２、及び上記周知技術から予測できる範囲内のものであり、格別のものとはいえない。
　
　したがって、本願発明は引用文献１、引用文献２、及び周知技術に基づいて、当業者が容易に発明をすることができたものというべきである。
　
６．むすび
　以上のとおり、本願発明は、引用文献１、引用文献２、及び周知技術に基づいて、当業者が容易に発明をすることができたものであるから、特許法第２９条第２項の規定により特許を受けることができない。
　したがって、他の請求項について検討するまでもなく、本願は拒絶をすべきものである。
　よって、結論のとおり審決する。